(57)【要約】【課題】  片手で簡単にペーパーを切断できるトイレットペーパー用ホルダーと、オルゴール付きトイレットペーパー用ホルダーを有機的に組み合わせられたトイレットペーパー用ホルダーを提供する【解決手段】  背板２と左右側板３，４とで平面コ字状をなすとともにロール状のトイレットペーパー６を回転可能に軸支するホルダー本体１と、ホルダー本体１に端部が支持されたカバー体５と、からなるトイレットペーパー用ホルダーおいて、ホルダー本体１の背板２内にオルゴール装置１０が収納され、カバー体５にはカバー体５に沿って往復動可能にペーパー繰り出し機構２０が設けられ、オルゴール装置１０と前記ペーパー繰り出し機構２０とが戻しワイヤ２６で接続され、ペーパー繰り出し機構２０の往復動により、オルゴール装置１０が動作するように構成した。【選択図】  図１
2005040561.tif 000002
【特許請求の範囲】
【請求項１】
背板と左右側板とで平面コ字状をなすとともにロール状のトイレットペーパーを回転可能に軸支するホルダー本体と、前記ホルダー本体に端部が支持されたカバー体と、からなるトイレットペーパー用ホルダーおいて、
前記ホルダー本体の背板内にオルゴール装置が収納され、前記カバー体にはカバー体に沿って往復動可能にペーパー繰り出し機構が設けられ、前記オルゴール装置と前記ペーパー繰り出し機構とが戻しワイヤで接続され、
前記ペーパー繰り出し機構の往復動により、前記オルゴール装置が動作することを特徴とするトイレットペーパー用ーホルダー。
【請求項２】
前記オルゴール装置は、前記背板の内部に形成された空間部に組み込まれ、前記空間部の下端部に回転可能に軸支された回転ドラムと、前記回転ドラムに選択的に接するリードと、前記回転ドラムに同軸に装着されたギヤ機構と、前記ギヤ機構に同軸に装着された戻しばねと、前記戻しばねと同軸に配置され戻しばねにより戻しワイヤを巻き取る巻き取り部とからなることを特徴とする請求項１に記載のトイレットペーパー用ホルダー。
【請求項３】
前記ペーパー繰り出し機構は、前記カバー体に形成されたスリットに往復動可能に装着されスライダと、前記スライダーの上端部に取り付けられたつまみと、前記スライダーの下端部に取り付けられた繰出子と、前記カバー体と前記つまみの間に装着された附勢ばねと、前記スライダー端部が固定された戻しワイヤからなることを特徴とする請求項１に記載のトイレットペーパー用ホルダー。
【請求項４】
前記カバー体の先端部にはペーパーカット用の切断刃が設けられるとともに附勢手段により常にペーパー側に附勢されており、ペーパーを片手で切断可能に構成されてあることを特徴とする請求項１に記載のトイレットペーパー用ホルダー。
【発明の詳細な説明】
【技術分野】
【０００１】  本発明は、トイレットペーパー用ホルダーに係り、特に片手のみでペーパーを切断できるオルゴール付きのトイレットペーパー用ホルダーに関する。
【背景技術】
【０００２】  従来、トイレットペーパー用ホルダーにおいては、ホルダーカバーに指が入る大きさの操作孔を設け、使用時においてペーパーを片手で切断できるものがあった（例えば、特許文献１参照）。また、ホルダー本体の芯の部分にオルゴールが組み込まれ、ペーパーを引いた時に、スイッチが入りオルゴールが鳴り出すものもあった（例えば、特許文献２参照）。
【特許文献１】特開２００１−５５４８６号公報（第１頁、図１）
【特許文献２】特公平Ｈ３−５２７３５号公報（第１頁、図２）
【発明の開示】
【発明が解決しようとする課題】
【０００３】  しかしながら、上述した特許文献１のトイレットペーパー用ホルダーにおいては、ホルダーカバーに親指を入れてトイレットペーパーを回転させるものであるから、例えば、指か濡れている場合には、はなはだ具合の悪いものであった。そして、ホルダーカバーに抑えがないので、ペーパーを切断するためにペーパー面に対して直角方向に引っ張ると、ホルダーカバーも一緒に浮き上がってしまい、ペーパーをうまく切断できないという問題もあった。
また、特許文献２のトイレットペーパー用ホルダーにおいては、使用するオルゴールは電池により動作するものであり、電池が切れるとオルゴールは動作しなくなり電池を交換する必要性があった。
さらに、片手で使用できるトイレットペーパー用ホルダーとオルゴール付きトイレットペーパー用ホルダーを有機的に組み合わせられたトイレットペーパー用ホルダーは見受けられなかった。【０００４】  本発明は、上述した従来の問題に鑑みなされたもので、片手で簡単にペーパーを切断できるトイレットペーパー用ホルダーと、オルゴール付きトイレットペーパー用ホルダーを有機的に組み合わせられたトイレットペーパー用ホルダーを提供するものである。
【課題を解決するための手段】
【０００５】  本発明は、上記課題を解決するため、背板と左右側板とで平面コ字状をなすとともにロール状のトイレットペーパーを回転可能に軸支するホルダー本体と、前記ホルダー本体に端部が支持されたカバー体と、からなるトイレットペーパー用ホルダーおいて、前記ホルダ本体の背板内にオルゴール装置が収納され、前記カバー体にはカバー体に沿って往復動可能にペーパー繰り出し機構が設けられ、前記オルゴール装置と前記ペーパー繰り出し機構とが戻しワイヤーで接続され、前記ペーパー繰り出し機構の往復動により、前記オルゴール装置が動作することを特徴とするものである。【０００６】  また、本発明のオルゴール装置は、前記背板の内部に形成された空間部に組み込まれ、前記空間部の下端部に回転可能に軸支された回転ドラムと、前記回転ドラ厶に選択的に接するリードと、前記回転ドラムに同軸に装着されたギヤ機構と、前記ギヤ機構に同軸に装着された戻しばねと、前記戻しばねと同軸に配置され戻しばねにより戻しワイヤーを巻き取る巻き取り部とからなることを特徴としている。【０００７】  また、本発明のペーパー繰り出し機構は、前記カバー体に形成されたスリットに往復動可能に装着されスライダーと、前記スライダーの上端部に取り付けられたつまみと、前記スライダーの下端部に取り付けられた繰出子と、前記カバー体と前記つまみの間に装着された附勢ばねと、前記スライダー端部が固定された戻しワイヤーからなることを特徴としている。【０００８】  さらに、本発明は、前記カバー体の先端部にはペーパーカット用の切断刃が設けられるとともに附勢手段により常にペーパー側に附勢されており、ペーパーを片手で切断可能に構成されていることを特徴とするものである。
【発明の効果】
【０００９】  上述のように構成されたトイレットペーパー用ホルダーは、ペーパー繰り出し機構により簡単にペーパーを繰り出すことができ、切断時においては、カバー体の先端部にはペーパーカット用の切断刃が設けられるとともにカバー体の附勢手段により、確実にペーパーを切断することができる。
また、オルゴール装置は、ペーパー繰り出し機構に接続された戻しワイヤーと戻しばねにより駆動されるため、電池切れの心配がなく、半永久的に使用できるものである。
【発明を実施するための最良の形態】
【００１０】  本発明に係るトイレットペーパー用ホルダーを実施するための最良の形態を図を参照して説明する。
図１は本発明のトイレットペーパー用ホルダーを示す斜視図、図２は図１のトイレットペーパー用ホルダーのＡ−Ａ方向の断面図、図３は図１のトイレットペーパー用ホルダーのオルゴール装置の収納状態を示す斜視図、図４は図１のトイレットペーパー用ホルダーのオルゴール装置を示す平面図、図５は図１のトイレットペーパー用ホルダーの繰り出し機構を示す斜視図、図６は図１のトイレットペーパー用ホルダーの繰り出し機構の動作を示す模式図、図７は図１のトイレットペーパー用ホルダーの繰り出し機構の動作を示す模式図である。【００１１】  本発明に係るトイレットペーパー用ホルダーは、図１または図２に示すように、背板２と左右の側板３，４とで平面コ字状をなすとともにロール状のトイレットペーパーを回転可能に軸支するホルダー本体１と、前記ホルダー本体１に端部が支持されたカバー体５と、からなるトイレットペーパー用ホルダーおいて、前記ホルダー本体１の背板２内にオルゴール装置１０が収納され、前記カバー体５にはカバー体５に沿って往復動可能にペーパー繰り出し機構２０が設けられ、前記オルゴール装置１０と前記ペーパー繰り出し機構２０とが戻しワイヤ２６で接続され、前記ペーパー繰り出し機構２０の往復動により、前記オルゴール装置１０が作動動作するように構成されている。また、左右の側板３，４にはそれぞれ側板カバー７，８が着脱可能に取り付けられている。このトイレットペーパー用ホルダーにロール状のトイレットペーパー６が装着されるものである。【００１２】  このトイレットペーパー用ホルダーの背板２、左右の側板３，４、側板カバー７，８は、主に合成樹脂より所定の形状に形成されれるが、カバー体５はステンレスなどの金属で形成したほうが後述するペーパー繰り出し機構２０の動作の点から望ましい。また、カバー体５には、先端部にトイレットペーパー６の切断用の切断刃５ａが形成されており、片手でトイレットペーパー６を切断できるようになっている。そのためカバー体５には、ホルダー本体１に組み込まれた場合に、切断刃５ａが常にトイレットペーパー６側に押しつけられるように附勢手段１７が設けられている。この附勢手段１７は、図１または図３に示すように、カバー体５の回転軸５ｃの端部にブラケット１８が取り付けられ、このブラケット１８を附勢手ばね１９で附勢するものである。このためカバー体５の回転軸５ｃに反時計方向の附勢力が働き、カバー体５の先端部にトイレットペーパー６を押しつける力が生ずるものである。【００１３】  また、図３に示すように、オルゴール装置１０は、背板２の内部に形成された空間部２ａに組み込まれたものである。そのため、背板２はオルゴール装置１０を上部から組み込みできるように、上部カバー９が着脱可能に形成されており、ホルダー本体１を成形加工後にオルゴール装置１０を組み込み、上部カバー９を嵌着する。この上部カバー９には、嵌合用の突起９ａが形成されており、背板２の上面に形成された嵌合穴に嵌着される。【００１４】  このオルゴール装置１０は、図４に示すように、前記空間部２ａに横置き収納されており、ケース１１の内側に軸受け１１ａにより回転可能に軸支された回転ドラム１２と、この回転ドラム１２に選択的に接する���ード１３と、前記回転ドラム１２に同軸に装着されたギヤ機構１４と、前記ギヤ機構１４に同軸に装着された戻しばね１５と、前記戻しばねと同軸に配置され戻しばねにより戻しワイヤー２６を巻き戻す巻き取り部１６とから構成されている。この巻き取り部１６は軸受け１１ｂにより回転可能に軸支されるものである。【００１５】  このオルゴール装置１０の回転ドラム１２は、外周の全面に亘ってピン１２ａが植設されており、回転ドラム１２が回転することによりリード１３と当たり必要な音色を発するものである。ギヤ機構１４は、複数の平歯車が噛合されており、回転ドラ厶１２の回転速度を適正にすると共に、内部に組み込まれた図示しない公知の一方向クラッチにより、後述するペーパー繰り出し機構２０にり戻しワイヤー２６が引っ張られた場合に回転ドラム１２が回転せず、戻しばね１５により戻しワイヤー２６を巻き戻す場合にのみ回転するようになっている。戻しばね１５はぜんまいばねから構成されており、後述するペーパー繰り出し機構２０が操作されて、戻しワイヤー２６が引っ張られた場合に、戻しワイヤー２６を巻き取り部１６に巻き戻すと共に、その戻すことにより回転ドラム１２を動作させるものである。巻き取り部１６はプーリ状に形成されており、戻しワイヤー２６が外れないようになっている。【００１６】  このように構成されたオルゴール装置１０は、後述するペーパー繰り出し機構２０に連動して動作するようになっている。即ち、使用者が使用時において、片手の指でペーパー繰り出し機構２０を操作することにより、ペーパー繰り出し機構２０に接続されている戻しワイヤー２６が引かれることになり、巻き取り部１６が回転するので、巻き取り部１６と同軸の戻しばね１５が巻き込まれる。そして、使用者がペーパー繰り出し機構２０から指を離すと、戻しばね１５がばね力で戻るので、ギヤ機構１４を介して回転ドラム１２の回転させ、回転ドラム１２に植設されたピン１２ａがリード１３に当たり、メロディーを奏でるものである。【００１７】  また、図５に示すペーパー繰り出し機構２０は、カバー体５に形成されたスリット５ａに往復動可能に装着されスライダ２１と、このスライダー２１の上端部に取り付けられたつまみ２２と、このスライダー２２の下端部に取り付けられた繰り出し子２３と、前記カバー体５と前記つまみ２２の間に装着された附勢ばね２４と、前記スライダー２１に端部が固定された戻しワイヤー２６から構成されており、附勢ばね２４がカバー体５に食い込まないように、ワッシャ２５が取り付けられる。そして、スライダー２１には戻しワイヤー２６を取り付けるために取り付け孔２１ａが形成されている。この取り付け孔２１ａは、戻しワイヤー２６の端部の形状に合わせて漏斗形に形成されている。【００１８】  スライダー２１、つまみ２２と、繰出子２３は、それぞれ合成樹脂から所定の形状に形成されている。このスライダー２１とつまみ２２の結合は、つまみ２２に形成された図示しない嵌合穴に強嵌合で嵌着するか、接着などで結合するものである。また、スライダー２１と繰出子２３の結合は、ビス止めなどで行うが、スライダー２１と繰出子２３を一体に成形してもよい。この繰出子２３は、図５乃至図７に示す��うに、ペーパーと接する下面には、方向性のあるラチェット歯が形成されており、図面上手前側に移動させる場合には、ペーパーを引っかけて繰り出すことができるが、図面上奥側に移動させる場合には、ペーパーに引っ掛からないようになっている。戻しワイヤー２６は、通常は細いピアノ線などを使用するが、釣り糸などに使用される強度のある合成樹脂製の糸を使用してもよい。【００１９】  このペーパー繰り出し機構２０を組み込む場合には、まず、スライダー２１と繰出子２３を結合して一体化したものを、カバー体５の裏側よりスリット５ｂを通してスライダー２１を表側に突出させる。次に、このスライダー２１にワッシャ２５と附勢ばね２４を挿入する。そして、このスライダー２１につまみ２２を取り付ける。さらに、スライダー２１の取り付け孔２１ａに戻しワイヤ６を通し、先端部を前述したオルゴール装置１０の巻き取り部１６に巻き付ける。この戻しワイヤ６には常にオルゴール装置１０の戻しばね１５によりテンションがかけられているので、ペーパー繰り出し機構２０は通常の状態では、図２に示すように、スタート位置にとどまるようになっている。また、この状態では、附勢ばね２４により、つまみ２２が持ち上げられるので、繰出子２３はペーパーに接触しない状態となっている。【００２０】  上述のように構成されたペーパー繰り出し機構２０の動作を図６、図７を参照して説明する。
先ず、図６（ａ）に示すように、スタート位置で、一方の手の指などでつまみ２２を押しつけると、附勢ばね２４が圧縮され繰り出し子２３がトイレットペーパー６に接触するようになる。
次いで、図６（ｂ）に示すように、一方の手でつまみ２２を押した状態でカバー体５のスリット５ｂに沿って移動させると、繰出子２３がトイレットペーパー６に接触した状態で移動するので、トイレットペーパー６も回転し、表面層６ａが引き出されるものである。また、この時に戻しワイヤー２６も引っ張られるので、前記オルゴール装置１０の巻き取り部１６が回転し、戻しばね１５を巻き込むことになる。【００２１】  次いで、図７（ａ）に示すように、つまみ２２から手を離してやると、つまみ２２は附勢ばね２４の戻し力で浮いた状態となり、繰出子２３もトイレットペーパー６の表面から離れ、前記オルゴール装置１０の戻しばね１５によりスタート位置に引き戻される。この時にオルゴール装置１０の回転ドラム１２も回転するので、回転ドラム１２に植設されたピン１２ａがリード１３に当たり、メロディーを奏でるものである。
そして、図７（ｂ）に示すように、つまみ２２から離した手で、引き出したトイレットペーパー６の表面層６ａを引っ張り切断する。この時、トイレットペーパー６は、カバー体５の附勢力で固定されるので、確実にペーパーを切断できるものである。
【図面の簡単な説明】
【００２２】
【図１】  本発明に係るトイレットペーパー用ホルダーを示す斜視図である。
【図２】  図１のトイレットペーパー用ホルダーのＡ−Ａ方向の断面図である。
【図３】  図１のトイレットペーパー用ホルダーのオルゴール装置の収納を示す斜視図である。
【図４】  図１のトイレットペーパー用ホルダーのオルゴール装置を示す平面図図である。
【図５】  図１のトイレットペーパー用ホルダーの繰り出し機構を示す斜視図である。
【図６】  図１のトイレットペーパー用ホルダーの繰り出し機構の動作を示す模式図である。
【図７】  図１のトイレットペーパー用ホルダーの繰り出し機構の動作を示す模式図である。
【符号の説明】
【００２３】  １      ホルダー本体
２      背板
３      側板
４      側板
５      カバー体
５ａ    切断刃
５ｂ    スリット
５ｃ    回転軸
６      トイレットペーパー
７      側板カバー
８      側板カバー
９      上部カバー
１０      オルゴール装置
１１      ケース
１２      ドラム
１３      リード構
１４      ギヤ機構
１５      戻しばね
１６      巻き取り部
１７      附勢手段
１８      ブラケット
１９      附勢ばね
２０      ペーパー繰り出し機構
２１      スライダー
２２      つまみ
２３      繰出子
２４      附勢ばね
２５      ワッシャー
２６      戻しワイヤー
【図１】
2005040561.tif 000003
【図２】
2005040561.tif 000004
【図３】
2005040561.tif 000005
【図４】
2005040561.tif 000006
【図５】
2005040561.tif 000007
【図６】
2005040561.tif 000008
【図７】
2005040561.tif 000009